(57)【要約】【課題】１つのラジオチューナを備え、複数のルームに配置されるスピーカーに音声を出力可能であり、各ルームのスピーカーに、異なるラジオ放送局の放送を出力すること。【解決手段】  第１受信手段が受信中のコンテンツを第１のルームまたは第２のルームのいずれかへ出力中であるときに、ユーザ操作によって、出力中のルームとは異なるルームの受信装置へ、第１受信手段が受信中のコンテンツとは異なるコンテンツを出力する指示が入力された場合、コンテンツ処理装置は、ユーザ操作によって指示されたコンテンツを第２受信手段によって受信するための第２パラメータを取得する。コンテンツ処理装置は、第２受信手段に第２パラメータを設定し、第２受信手段によって受信されるコンテンツを、ユーザ操作によって指示されたルームの受信装置から出力する。【選択図】図２
2013192130.tif 000002
【特許請求の範囲】
【請求項１】
複数の通信方式で送信されるコンテンツを受信可能なコンテンツ処理装置であって、
第１の送信方式で送信されるコンテンツを受信する第１受信手段と、
第２の送信方式で送信されるコンテンツを受信する第２受信手段と、
前記第１受信手段、または、前記第２受信手段によって受信されるコンテンツを第１のルーム、または第２のルームに配置される受信装置へ出力する出力手段と、
前記第１受信手段が受信するコンテンツを切り替えるための第１パラメータを前記第１受信手段に設定する第１設定手段と、
前記第２受信手段が受信するコンテンツを切り替えるための第２パラメータを前記第２受信手段に設定する第２設定手段と、
前記第１パラメータと、前記第２パラメータとを対応付けて管理する管理手段と、
ユーザ操作によって入力された前記第１パラメータを前記第２パラメータに変換する変換手段とを備え、
前記出力手段が、前記第１受信手段が受信中のコンテンツを前記第１のルームまたは前記第２のルームに配置された前記受信装置へ出力中であるときに、ユーザ操作によって、前記出力手段が出力中のルームとは異なるルームの前記受信装置へ、前記第１受信手段が受信中のコンテンツとは異なるコンテンツを出力する指示が入力されたとき、
前記変換手段が、ユーザ操作によって指示されたコンテンツに対応する第１パラメータを、前記第２パラメータに変換し、
前記第２設定手段が、前記第２パラメータを前記第２受信手段に設定し、前記出力手段が、前記第２受信手段によって受信されるコンテンツを、ユーザ操作によって指示されたルームの前記受信装置へ出力する、コンテンツ処理装置。
【請求項２】
表示装置にコンテンツの情報を出力する情報出力手段と、
前記第２の送信方式でコンテンツを送信する送信元から前記送信元が送信しているコンテンツのコンテンツ情報を取得するコンテンツ情報取得手段とをさらに備え、
前記第１受信手段が受信中のコンテンツを前記第１のルームの前記受信装置に出力中であるときに、前記変換手段が、前記第１パラメータを前記第２パラメータに変換し、前記コンテンツ情報取得手段が、変換された前記第２パラメータを使用して前記コンテンツ情報を取得し、
前記情報出力手段が、取得された前記コンテンツ情報を、前記表示装置に出力する、請求項１に記載のコンテンツ処理装置。
【請求項３】
前記第１受信手段が受信中のコンテンツを前記第１のルームの前記受信装置に出力中であるときに、
ユーザ操作によって前記第２のルームの前記受信装置へ、前記第１受信手段が受信中のコンテンツとは異なるコンテンツである第２コンテンツを出力する指示が入力されたとき、
前記変換手段が、前記第１受信手段に設定されている前記第１パラメータから前記第２パラメータに変換し、
前記第２設定手段が、前記第２受信手段に、前記変換手段によって変換された前記第２パラメータを設定し、
前記出力手段が、前記第２受信手段によって受信されるコンテンツを、前記第１のルームの前記受信装置へ出力し、
前記第１設定手段が、前記第２コンテンツを受信するための第１パラメータを前記第１受信手段に設定し、
前記出力手段が、前記第１受信手段によって受信されるコンテンツを、前記第２のルームの前記受信装置へ出力する、請求項１または２に記載のコンテンツ処理装置。
【請求項４】
複数の通信方式で送信されるコンテンツを受信可能なコンテンツ処理装置であって、
第１の送信方式で送信されるコンテンツを受信する第１受信手段と、
第２の送信方式で送信されるコンテンツを受信する第２受信手段と、
前記第１受信手段、または、前記第２受信手段によって受信されるコンテンツを受信装置へ出力する出力手段と、
前記第１受信手段が受信するコンテンツを切り替えるための第１パラメータを前記第１受信手段に設定する第１設定手段と、
前記第２受信手段が受信するコンテンツを切り替えるための第２パラメータを前記第２受信手段に設定する第２設定手段と、
前記第１パラメータと、前記第２パラメータとを対応付けて管理する管理手段と、
前記第２受信手段に設定されている前記第２パラメータを記憶する第２パラメータ記憶手段と、
記憶されている前記第２パラメータを、前記第１パラメータに変換するパラメータ変換手段と、
前記第２受信手段がコンテンツを受信可能な状態になったか否かを判断する起動判断手段とを備え、
前記第２受信手段によって受信されるコンテンツを前記受信装置へ出力する指示が入力されたとき、前記第１設定手段が前記パラメータ変換手段によって変換される前記第１パラメータを前記第１受信手段に設定し、
前記出力手段が、前記第１受信手段によって受信されるコンテンツを前記受信装置へ出力し、
前記起動判断手段が、前記第２受信手段がコンテンツを受信可能な状態になったと判断したとき、前記出力手段が、前記第１受信手段によって受信されるコンテンツを前記受信装置へ出力するのを停止し、前記第２受信手段によって受信されるコンテンツを前記受信装置へ出力する、コンテンツ処理装置。
【請求項５】
請求項１〜４に記載のコンテンツ処理装置の各手段を前記コンテンツ処理装置に実行させる、コンテンツ処理装置プログラム。
【発明の詳細な説明】
【技術分野】
【０００１】
本発明は、コンテンツ処理装置及びそのプログラムに関する。
【背景技術】
【０００２】
ラジオ放送をラジオチューナによって受信可能であり、また、ネットワーク経由でラジオ放送（ＩＰサイマルラジオ放送）を受信可能なコンテンツ処理装置（以下、ＡＶレシーバ）がある。ＡＶレシーバは、メインルームとサブルームに接続されるスピーカーに音声を出力できる。なお、ＩＰサイマルラジオ放送サービスは、電波によって送信されるラジオ放送と同一の内容の放送をネットワークを介して送信する。
【０００３】
一般にＡＶレシーバはラジオチューナを１つだけ搭載するので、メインルームのスピーカーとサブルームのスピーカーとにおいて異なるラジオ局から送信されるコンテンツを出力することができないという問題がある。なお、コンテンツは、音声データや映像データ等であり、以下、コンテンツは音声データであるとする。
【０００４】
また、ＡＶレシーバのネットワークを介するデータの送受信処理を実行するためのマイコンに、Ｌｉｎｕｘ（登録商標。以下、Ｌｉｎｕｘという。）等の起動に時間を要するＯＳが搭載されている場合、ＩＰサイマルラジオ放送によって送信される放送データを受信し、受信した音声をスピーカーから出力するまでに時間がかかるという問題がある。
【０００５】
特開２０１０−２０６５１８号公報には、放送エリアが変更された場合に、変更後の放送エリアに対応する受信可能なチャンネル情報を生成して設定する装置が記載されている。
【０００６】
特開２０１１−１１９７９０号公報には、サイマル放送に基づいて記録を行う際に、記録に使用する放送方式が頻繁に切り替わることを防止する装置が記載されている。
【０００７】
特開２００８−１９９１１１号公報には、ネットワーク上にデジタル放送受信機が見つからなかった場合や、見つかったがチューナが別に使用されている場合は、１セグで視聴するシステムが記載されている。
【先行技術文献】
【特許文献】
【０００８】
【特許文献１】特開２０１０−２０６５１８号公報
【特許文献２】特開２０１１−１１９７９０号公報
【特許文献３】特開２００８−１９９１１１号公報
【発明の概要】
【発明が解決しようとする課題】
【０００９】
本発明は上記従来の課題を解決するためになされたものであり、その目的は、１つのラジオチューナを備え、複数のルームに配置されるスピーカーに音声を出力可能であり、各ルームのスピーカーに、異なるラジオ放送局の放送を出力できるコンテンツ処理装置を提供することである。
【００１０】
また、本発明の別の目的は、ユーザ操作によって、ＩＰサイマルラジオ放送局から送信される音声データをスピーカーから出力する指示が入力されたとき、スピーカーから音声が出力されるまでの時間を短縮できるコンテンツ処理装置を提供することである。
【課題を解決するための手段】
【００１１】
本発明の好ましい実施形態によるコンテンツ処理装置は、複数の通信方式で送信されるコンテンツを受信可能なコンテンツ処理装置であって、
第１の送信方式で送信されるコンテンツを受信する第１受信手段と、第２の送信方式で送信されるコンテンツを受信する第２受信手段と、前記第１受信手段、または、前記第２受信手段によって受信されるコンテンツを第１のルーム、または第２のルームに配置される受信装置へ出力する出力手段と、前記第１受信手段が受信するコンテンツを切り替えるための第１パラメータを前記第１受信手段に設定する第１設定手段と、前記第２受信手段が受信するコンテンツを切り替えるための第２パラメータを前記第２受信手段に設定する第２設定手段と、前記第１パラメータと、前記第２パラメータとを対応付けて管理する管理手段と、ユーザ操作によって入力された前記第１パラメータを前記第２パラメータに変換する変換手段とを備え、前記出力手段が、前記第１受信手段が受信中のコンテンツを前記第１のルームまたは前記第２のルームに配置された前記受信装置へ出力中であるときに、ユーザ操作によって、前記出力手段が出力中のルームとは異なるルームの前記受信装置へ、前記第１受信手段が受信中のコンテンツとは異なるコンテンツを出力する指示が入力されたとき、前記変換手段が、ユーザ操作によって指示されたコンテンツに対応する第１パラメータを、前記第２パラメータに変換し、前記第２設定手段が、前記第２パラメータを前記第２受信手段に設定し、前記出力手段が、前記第２受信手段によって受信されるコンテンツを、ユーザ操作によって指示されたルームの前記受信装置へ出力する。
【００１２】
コンテンツ処理装置は、第１の送信方式で送信されるコンテンツを受信する第１受信手段と、第２の送信方式で送信されるコンテンツを受信する第２受信手段を備え、それらのコンテンツを第１のルーム、または第２のルームに配置される受信装置へ出力する。コンテンツ処理装置は、第１受信手段が受信するコンテンツを第１パラメータによって変更可能であり、第２受信手段が受信するコンテンツを第２パラメータによって変更可能である。第１受信手段が受信中のコンテンツを第１のルームまたは第２のルームのいずれかへ出力中であるときに、ユーザ操作によって、出力中のルームとは異なるルームの受信装置へ、第１受信手段が受信中のコンテンツとは異なるコンテンツを出力する指示が入力された場合、コンテンツ処理装置は、ユーザ操作によって指示されたコンテンツを第２受信手段によって受信するための第２パラメータを取得する。コンテンツ処理装置は、第２受信手段に第２パラメータを設定し、第２受信手段によって受信されるコンテンツを、ユーザ操作によって指示されたルームの受信装置から出力する。この結果、コンテンツ処理装置が第１受信手段を１つしか有さない場合であっても、複数の異なるルームから、異なる放送を出力できる。
【００１３】
好ましい実施形態においては、表示装置にコンテンツの情報を出力する情報出力手段と、前記第２の送信方式でコンテンツを送信する送信元から前記送信元が送信しているコンテンツのコンテンツ情報を取得するコンテンツ情報取得手段とをさらに備え、前記第１受信手段が受信中のコンテンツを前記第１のルームの前記受信装置に出力中であるときに、前記変換手段が、前記第１パラメータを前記第２パラメータに変換し、前記コンテンツ情報取得手段が、変換された前記第２パラメータを使用して前記コンテンツ情報を取得し、前記情報出力手段が、取得された前記コンテンツ情報を、前記表示装置に出力する。
【００１４】
コンテンツ処理装置は、第１受信手段が受信中のコンテンツのコンテンツ情報を第２受信手段によって取得し、コンテンツ処理装置に接続される表示装置に出力できる。
【００１５】
本発明の別の好ましい実施形態によるコンテンツ処理装置は、前記第１受信手段が受信中のコンテンツを前記第１のルームの前記受信装置に出力中であるときに、ユーザ操作によって前記第２のルームの前記受信装置へ、前記第１受信手段が受信中のコンテンツとは異なるコンテンツである第２コンテンツを出力する指示が入力されたとき、前記変換手段が、前記第１受信手段に設定されている前記第１パラメータから前記第２パラメータに変換し、前記第２設定手段が、前記第２受信手段に、前記変換手段によって変換された前記第２パラメータを設定し、前記出力手段が、前記第２受信手段によって受信されるコンテンツを、前記第１のルームの前記受信装置へ出力し、前記第１設定手段が、前記第２コンテンツを受信するための第１パラメータを前記第１受信手段に設定し、前記出力手段が、前記第１受信手段によって受信されるコンテンツを、前記第２のルームの前記受信装置へ出力する。
【００１６】
コンテンツ処理装置は、第１受信手段が受信中のコンテンツを第１のルームに出力中であるときに、ユーザ操作によって第２のルームの受信装置へ、第１受信部が受信中のコンテンツとは異なるコンテンツである第２コンテンツを出力する指示が入力されたとき、第２受信手段によって受信されるコンテンツを第１のルームへ出力し、第２コンテンツを第１受信手段によって受信し、第２のルームへ出力する。この結果、第１のルームの受信装置に、第２の受信手段によって受信される音声データを出力できる。
【００１７】
本発明の別の好ましい実施形態によるコンテンツ処理装置は、複数の通信方式で送信されるコンテンツを受信可能なコンテンツ処理装置であって、第１の送信方式で送信されるコンテンツを受信する第１受信手段と、第２の送信方式で送信されるコンテンツを受信する第２受信手段と、前記第１受信手段、または、前記第２受信手段によって受信されるコンテンツを受信装置へ出力する出力手段と、前記第１受信手段が受信するコンテンツを切り替えるための第１パラメータを前記第１受信手段に設定する第１設定手段と、前記第２受信手段が受信するコンテンツを切り替えるための第２パラメータを前記第２受信手段に設定する第２設定手段と、前記第１パラメータと、前記第２パラメータとを対応付けて管理する管理手段と、前記第２受信手段に設定されている前記第２パラメータを記憶する第２パラメータ記憶手段と、記憶されている前記第２パラメータを、前記第１パラメータに変換するパラメータ変換手段と、前記第２受信手段がコンテンツを受信可能な状態になったか否かを判断する起動判断手段とを備え、前記第２受信手段によって受信されるコンテンツを前記受信装置へ出力する指示が入力されたとき、前記第１設定手段が前記パラメータ変換手段によって変換される前記第１パラメータを前記第１受信手段に設定し、前記出力手段が、前記第１受信手段によって受信されるコンテンツを前記受信装置へ出力し、前記起動判断手段が、前記第２受信手段がコンテンツを受信可能な状態になったと判断したとき、前記出力手段が、前記第１受信手段によって受信されるコンテンツを前記受信装置へ出力するのを停止し、前記第２受信手段によって受信されるコンテンツを前記受信装置へ出力する。
【００１８】
コンテンツ処理装置は、コンテンツ処理装置の電源がオフ状態からオン状態に変更されたとき、第１受信手段によって、コンテンツを受信開始する。さらに、制御部１１は、第２受信手段がコンテンツを受信可能な状態になったと判断したとき、前記第１受信手段によって受信されるコンテンツを受信装置へ出力するのを停止し、第２受信手段によって受信されるコンテンツを前記受信装置へ出力する。この結果、コンテンツ処理装置は、第２受信手段によってコンテンツを受信可能になる前に、第１受信手段によって受信されるコンテンツを受信装置へ出力できるので、ユーザは早く放送を聴取可能となる。
【発明の効果】
【００１９】
１つのラジオチューナを備え、複数のルームに配置されるスピーカーに音声を出力可能であり、各ルームのスピーカーに、異なるラジオ放送局の放送を出力できるコンテンツ処理装置を提供できる。
【００２０】
ユーザ操作によって、ＩＰサイマルラジオ放送局から送信される音声データをスピーカーから出力する指示が入力されたとき、スピーカーから音声が出力されるまでの時間を短縮できるコンテンツ処理装置を提供できる。
【図面の簡単な説明】
【００２１】
【図１】本発明の好ましい実施形態による機器のブロック図である。
【図２】本発明の好ましい実施形態による制御部１１とネットワーク処理部１３とが実行するシーケンスチャートである。
【図３】ラジオ局テーブルである。
【図４】制御部１１とネットワーク処理部１３とが実行するシーケンスチャートである。
【図５】制御部１１とネットワーク処理部１３とが実行するシーケンスチャートである。
【図６】機器のブロック図である。
【図７】制御部１１とネットワーク処理部１３とが実行するシーケンスチャートである。
【図８】ネットワーク処理部１３が実行するフローチャートである。
【発明を実施するための形態】
【００２２】
以下、本発明の好ましい実施形態によるコンテンツ処理装置について、図面を参照して具体的に説明するが、本発明はこれらの実施形態には限定されない。
【００２３】
図１は、本発明の好ましい実施形態によるコンテンツ処理装置のブロック図である。
【００２４】
ＡＶレシーバ１００は、制御部１１、記憶部１２、ネットワーク制御部１３、ラジオ電波受信部１４(第１受信手段)、通信部１５(第２受信手段)、ＤＡＣ１６、増幅部１７Ａ、１７Ｂ、及び操作部１８を備える。制御部１１は記憶部１２に格納されたプログラムを実行することによりＡＶレシーバ１００全体を制御するものであり、例えばマイコンやＣＰＵである。記憶部１２は、ＡＶレシーバ１００の設定内容などを保持するものであり、例えばＲＯＭやＲＡＭである。ネットワーク制御部１３は、記憶部１２に格納されたプログラムを実行することにより後述する通信部１５とＩＰサイマルラジオ放送局３１との通信を制御し、また、ＩＰサイマルラジオ放送局３１から取得される音声データをＤＡＣ１６等へ出力するものであり、例えばマイコンやＣＰＵである。ラジオ電波受信部１４はラジオチューナであり、複数の放送方式（ＡＭ変調方式やＦＭ変調方式、以下、バンドという。）でラジオ放送局２１から放送されるラジオ電波を受信する。ラジオ電波受信部１４の周波数やバンド（第１パラメータ）は、制御部１１の指示によって設定される。通信部１５はＩＰサイマルラジオ放送局３１と接続されるネットワークインターフェースであり、例えばＬＡＮ端子である。ネットワーク制御部１３は、制御部１１の指示によってＩＰサイマルラジオ放送局３１から放送局の一覧を取得する。制御部１１は放送局一覧の中から放送局を選択するパラメータ（第２パラメータ）をネットワーク制御部１３に送信し、ネットワーク制御部は第２パラメータに基づいてＩＰサイマルラジオ放送局３１から放送データを取得する。
【００２５】
ＤＡＣ１６はデジタルーアナログ変換部であり、通信部１５によって受信されたデジタル形式の音声データをアナログ信号に変換する。増幅部１７Ａは、アナログ信号を増幅し、メインルーム(第１のルーム)に配置されるメインルームスピーカー２０Ａに音声を出力する。増幅部１７Ｂは、アナログ信号を増幅し、サブルーム(第２のルーム)に配置されるサブルームスピーカー２０Ｂに音声を出力する。以下、特に区別する必要がない場合、増幅部１７Ａ及び１７Ｂを増幅部１７という。操作部１８はユーザ操作を受け付けるボタンであり、例えばラジオ電波受信部１４が受信する周波数やバンドを変更するボタン、ネットワーク制御部１３が取得する放送局一覧から放送局を選択するための選択ボタン、電源ボタン、または入力切替セレクタ等である。
【００２６】
以上の構成を備えるＡＶレシーバ１００の制御部１１は、ラジオ電波受信部１４が放送データを受信中に、ユーザ操作によって異なるバンドまたは周波数のラジオ放送を受信し、現在出力中のルームとは異なるルームのスピーカーに出力する指示が入力されたとき、ＩＰサイマルラジオ放送局３１から送信される音声データを受信するよう設定する。なお、制御部１１とネットワーク制御部１３とはシリアル通信（ＳＰＩ通信、Ｉ２Ｃ通信など）によって通信する。
【００２７】
[実施形態１]
図２は、実施形態１におけるＡＶレシーバ１００の制御部１１とネットワーク制御部１３とのシーケンスチャートを示す。本実施形態によると、制御部１１は、ラジオ電波受信部１４が受信するラジオ放送をメインルームスピーカー２０Ａに出力中に、ユーザ操作によって、ラジオ電波受信部１４が受信中のラジオ放送局２１と異なるラジオ放送局２１の放送を受信し、サブルームスピーカー２０Ｂに出力する指示が入力されたとき、ネットワーク制御部１３にＩＰサイマルラジオ放送局３１から送信される音声データを受信する指示を送信する。
【００２８】
ＡＶレシーバ１００の制御部１１は、ユーザ操作によって、放送局ＦＭ−１から放送される放送データを受信し、メインルームスピーカー２０Ａから出力する指示を受信し、メインルームスピーカー２０Ａへ音声を出力する（Ｓ１０１）。本実施形態では、ラジオ電波受信部１４は放送局「ＦＭ−１」から音声データを受信する。ＦＭ−１は任意の放送局であり、例えば、ＦＭ変調方式で音声データを送信し、周波数が７９ＭＨｚである。なお、ユーザは操作部１８を操作することによって、ラジオ電波受信部１４が受信する音声データをメインルームスピーカー２０Ａ、サブルームスピーカー２０Ｂ、または両方のルームのスピーカーから出力するよう設定できる。
【００２９】
ユーザ操作によって、制御部１１はサブルームスピーカー２０Ｂからラジオ電波受信部１４が受信する音声データを出力する指示が入力される（Ｓ１０２）。具体的には、ユーザ操作によって、サブルームスピーカー２０Ｂに出力するソース(音声源)としてラジオ電波受信部１４が選択される。さらにユーザ操作によって、サブルームスピーカー２０Ｂから出力するラジオ放送局２１を選局する指示（バンド、または周波数設定指示）が入力される（Ｓ１０３）。本実施形態では、Ｓ１０３の処理によって設定される放送局はＦＭ−２であるとする。ＦＭ−２はＦＭ−１とは異なる周波数で音声データを送信する放送局である。
【００３０】
制御部１１は、メインルームスピーカー２０Ａから出力するよう設定されたラジオ放送局２１と、サブルームスピーカー２０Ｂから出力するよう設定されたラジオ放送局２１とが同一であるか否かを判断し（Ｓ１０４）、同一であると判断した場合（Ｓ１０４でＹＥＳ）、サブルームスピーカー２０Ｂに、メインルームスピーカー２０Ａに出力している音声データと同一の音声データを増幅部１７Ｂを介して出力する（Ｓ１０５）。なお、制御部１１は、ＦＭ−１及びＦＭ−２の周波数が同一である場合に、Ｓ１０４の処理によって同一の放送局であると判断する。
【００３１】
制御部１１は、メインルームスピーカー２０Ａから出力するよう設定されたラジオ放送局と、サブルームスピーカー２０Ｂから出力するよう設定されたラジオ放送局とが同一でないと判断した場合（Ｓ１０４でＮＯ）、ＡＶレシーバ１００が設置されている地域情報(位置情報)を取得する要求をネットワーク制御部１３に送信する（Ｓ１０６）。地域情報は、ＡＶレシーバ１００が設置されている場所の情報であり、例えば「東京都２３区」や、「大阪府大阪市」などである。なお、制御部１１は、ＦＭ−１及びＦＭ−２の周波数が異なる場合、Ｓ１０４の処理によって同一の放送局でないと判断する。
【００３２】
ネットワーク制御部１３は、ＡＶレシーバ１００のＩＰアドレス等から地域情報を取得し、制御部１１に送信する（Ｓ１０７）。なお、ネットワーク制御部１３は、インターネットサービスプロバイダ等に問い合わせることによって、ＩＰアドレスから地域情報を取得する。
【００３３】
制御部１１は、Ｓ１０３の処理によってユーザ操作によって入力されたラジオ放送のバンド及び周波数の情報を取得する。（Ｓ１０８）。すなわち、制御部１１はサブルームスピーカー２０Ｂから出力するよう設定されたＦＭ−２のバンド及び周波数の情報を取得する。
【００３４】
制御部１１は、Ｓ１０７の処理によって取得された地域情報と、Ｓ１０８の処理によって取得されたバンド情報と周波数情報とを使用し、図３のラジオ局テーブルを参照し、放送局名を特定する（Ｓ１０９）。図３は記憶部１２に記憶されるラジオ局テーブルを示す。ラジオ局テーブルは、地域名、バンド、周波数、及び放送局名を対応付けて管理するテーブルである。例えば、北海道地域のＦＭバンドの周波数８０．４ＭＨｚの放送局名はエフエム北海道である。なお、本実施形態において地域名は、都道府県名としたが、市町村まで含めた地域名であってもよいし、近畿地方、東北地方等の地方名であってもよい。放送局名の代わりに、放送局に固有なＩＤのようなものが用いられてもよい。ＩＤは、例えばコールサインである。
【００３５】
制御部１１は、ネットワーク制御部１３に、ＩＰサイマルラジオサービスを起動する指示を送信する（Ｓ１１０）。ネットワーク制御部１３は、ＩＰサイマルラジオ放送局３１に認証キー等を送信し、ＩＰサイマルラジオサービスを起動する。
【００３６】
ネットワーク制御部１３は、ＩＰサイマルラジオ放送局３１から、ＡＶレシーバ１００が設置されている地域において受信可能な放送局の一覧を取得する（Ｓ１１２）。なお、ＩＰサイマルラジオ放送局３１は、ＡＶレシーバ１００が送信するＩＰアドレス等を元に、ＡＶレシーバ１００が設置されている地域に対応する放送局の一覧を送信する。例えば、北海道地域の場合、ＩＰサイマルラジオ放送局３１はエフエム北海道、エフエムノースウエイブ等の放送局リストを送信する。
【００３７】
制御部１１は、ネットワーク制御部１３に、Ｓ１０９の処理によって特定された放送局を選択する指示を送信する（Ｓ１１３）。ネットワーク制御部１３は、制御部１１から受信した放送局名と同一の放送局名がＳ１１２の処理によって取得された放送局の一覧の中にあるか否かを判断し（Ｓ１１４）、存在しないと判断したとき（Ｓ１１４でＮＯ）、エラーを制御部１１に送信し（Ｓ１１５）、処理を終了する。
【００３８】
制御部１１は、ネットワーク制御部１３からエラーを受信したか否かを判断し（Ｓ１１６）、エラーを受信したと判断したとき（Ｓ１１６でＹＥＳ）、処理を終了する。制御部１１は、エラーを受信していないと判断したとき（Ｓ１１６でＮＯ）、出力先の増幅部１７を指定する指示をネットワーク制御部１３に送信する（Ｓ１１７）。例えば、ＩＰサイマルラジオ放送局３１から送信される音声データをサブルームスピーカー２０Ｂから出力するとき、制御部１１は増幅部１７Ｂへ音声データを出力するよう、ネットワーク制御部１３に指示する。
【００３９】
ネットワーク制御部１３は、制御部１１から受信した放送局名と同一の放送局名がＳ１１２の処理によって取得された放送局一覧にあると判断したとき（Ｓ１１４でＹＥＳ）、ＩＰサイマルラジオ放送局３１から送信される音声データを取得開始し（Ｓ１１８）、Ｓ１１７の処理によって指定された増幅部１７へ音声データを出力する（Ｓ１１９）。
【００４０】
以上の本実施形態によると、制御部１１は、ユーザ操作によってラジオ電波受信部１４が受信中の放送局(ＦＭ−１)と異なる放送局（例えば、ＦＭ−２）を受信し、異なるルームのスピーカーへ出力する指示を受信したとき、ＩＰサイマルラジオ放送局３１からＦＭ−２に対応する音声データを受信し、スピーカーから出力する。この結果、ラジオ電波受信部１４を１つしか備えないＡＶレシーバ１００であっても、複数の放送局の放送を異なるルームのスピーカーに出力できる。
【００４１】
ところで、実施形態１によると、メインルームスピーカー２０Ａに、ラジオ電波受信部１４が受信する音声データが出力されるが、一般にラジオ放送局２１は、放送中のラジオ番組の詳細情報（例えば、番組名、アーティスト名など）を送信しない。従って、メインルームスピーカー２０Ａに出力されている音声に関する詳細情報をＴＶ４１に出力できない。
【００４２】
[実施形態２]
図４は、実施形態２におけるＡＶレシーバ１００の制御部１１とネットワーク制御部１３とのシーケンスチャートを示す。図２と同一の処理には同一符号を付し、説明を省略する。本実施形態によると、制御部１１は、メインルームスピーカー２０Ａから出力している放送に関するメタ情報（例えば、番組名、アーティスト名、放送局ロゴなど）をＩＰサイマルラジオ放送局３１から取得し、ＡＶレシーバ１００のＦＬ管及びメインルームに設置されるＴＶ４１のＯＳＤに表示する。
【００４３】
ネットワーク制御部１３は、ＩＰサイマルラジオ放送局３１から音声データを取得開始する（Ｓ１１８）。制御部１１は、ラジオ電波受信部２１に設定されている周波数とバンドとに基づき、図３のラジオ局テーブルから放送局名を特定する（Ｓ２０１）。例えば、ラジオ電波受信部２１に周波数８０．４ＭＨｚと、ＦＭバンドとが設定されている場合、制御部１１は放送局名「エフエム北海道」を取得する。なお、同一の周波数の放送局が複数存在する場合、制御部１１は、Ｓ１０７の処理によって取得される地域名を含めて放送局名を特定してもよい。制御部１１は、メインルームスピーカー２０Ａから出力中の音声データに関するメタ情報を取得する要求をネットワーク制御部１３に送信する（Ｓ２０２）。ネットワーク制御部１３は、ＩＰサイマルラジオ放送局３１に、制御部１１から送信された放送局が送信中の音声データに関するメタ情報の取得要求を送信する。制御部１１から送信される放送局名に基づき、放送局が放送している番組名、アーティスト名、楽曲名等のメタ情報を制御部１１に送信する（Ｓ２０３）。ネットワーク制御部１３は、メタ情報を定期的に、またはメタ情報に更新があったときに制御部１１へ新たなメタ情報を送信する。制御部１１は、受信したメタ情報をＡＶレシーバ１００のＦＬ管や、映像出力部１９に接続されるメインルームのＴＶ４１に表示する（Ｓ２０４）。
【００４４】
以上の本実施形態によると、制御部１１は、メインルームスピーカー２０Ａへラジオ電波受信部１４が受信する音声データを出力し、ＩＰサイマルラジオ放送局３１から取得されるメタ情報をメインルームのＴＶ４１に表示できる。なお、サブルームスピーカー２０ＢにはＩＰサイマルラジオ放送局３１から取得される音声データが出力されるが、サブルームに表示装置が接続されていないので、サブルームスピーカー２０Ｂが出力している音声データに対応するメタ情報は表示されない。ただし、ＡＶレシーバ１００はサブルームに映像信号を出力できるとき、ＩＰサイマルラジオ放送局３１から取得されるメタ情報をサブルームの表示装置に出力してもよい。
【００４５】
ところで、一般に、ユーザによってメインルームに設置されるスピーカーは、サブルームに設置されるスピーカーよりも品質が高い。さらに、ラジオ放送局２１が放送する放送形式による音声データよりも、ＩＰサイマルラジオ放送局３１が送信する送信形式による音声データのほうがデータ品質が高い。従って、メインルームスピーカー２０Ａに、ＩＰサイマルラジオ放送局３１が送信する音声データを出力するほうが好ましい。
【００４６】
[実施形態３]
図５は、実施形態３におけるＡＶレシーバ１００の制御部１１とネットワーク制御部１３とのシーケンスチャートを示す。図２または図４と同一の処理には同一符号を付し、説明を省略する。本実施形態によると、制御部１１はＩＰサイマルラジオ放送局３１から受信する音声データをメインルームスピーカー２０Ａから出力し、ＩＰサイマルラジオ放送局３１から受信するメタ情報（例えば、番組名、アーティスト名、放送局ロゴなど）をＦＬ管または／及びＴＶ４１に表示する。
【００４７】
制御部１１は、ＦＭ−１とＦＭ−２とが同一の放送局ではないと判断したとき（Ｓ１０４でＮＯ）、ＡＶレシーバ１００が設置されている地域情報の取得要求をネットワーク制御部１３に送信し（Ｓ１０６）、メインルームスピーカー２０Ａから出力するよう設定されているラジオ放送のバンド及び周波数を取得する（Ｓ３０１）。本実施例では、ＦＭ−１のバンド及び周波数がＳ３０１の処理によって取得される。
【００４８】
制御部１１は、放送局指定指示（ＦＭ−１）をネットワーク制御部１３に送信し（Ｓ１１３）、メインルームスピーカー２０Ａに接続される増幅部１７ＡにＩＰサイマルラジオ放送局３１から送信されるＦＭ−１の音声データを出力する指示を送信する（Ｓ３０２）
【００４９】
ネットワーク制御部１３は、指定されたＦＭ−１の音声データをＩＰサイマルラジオ放送局３１から取得開始し（Ｓ１１８）、増幅部１７Ａを介してメインルームスピーカー２０Ａに音声を出力する（Ｓ３０３）。ネットワーク制御部１３は、ＩＰサイマルラジオ放送局３１からメタ情報（例えば、番組名、番組内で放送される音楽のアーティスト名や楽曲名等）を取得し、制御部１１へ送信する（Ｓ２０１）。
【００５０】
制御部１１は、受信したメタ情報をＡＶレシーバ１００のＦＬ管や、映像出力部１９に接続されるメインルームのＴＶ４１に表示する（Ｓ２０２）。制御部１１は、Ｓ１０３で設定された放送局「ＦＭ−２」のバンド及び周波数を取得し（Ｓ３０４）、取得されたバンド及び周波数をラジオ電波受信部１４に設定する（Ｓ３０５）。制御部１１は、ラジオ電波受信部１４によって受信される音声データを増幅部１７Ｂを介してサブルームスピーカー２０Ｂから出力する（Ｓ３０６）。すなわち、本実施形態では、ラジオ電波受信部１４によって受信され、メインルームスピーカー２０Ａから出力されていた放送局ＦＭ−１の音声データをＩＰサイマルラジオ放送局３１から受信してメインルームスピーカー２０Ａへ出力する。さらに、制御部１１は、ラジオ電波受信部１４によって放送局ＦＭ−２から放送データを受信し、サブルームスピーカー２０Ｂへ出力する。
【００５１】
以上の本実施形態によると、制御部１１はＩＰサイマルラジオ放送局３１から受信する音声データをメインルームスピーカー２０Ａから出力するよう切り替える。メインルームスピーカー２０ＡからＩＰサイマルラジオ放送局３１が送信する音声データを出力することによって、ユーザはメインルームにおいて高音質な音声を鑑賞できる。
【００５２】
[実施形態４]
図６は、実施形態４におけるＡＶレシーバ１００のブロック図を示す。図１と同一の処理部には同一符号を付し、説明を省略する。
【００５３】
ネットワーク制御部１３には、ＯＳ（Ｏｐｅｒａｔｉｎｇ  Ｓｙｓｔｅｍ）が搭載される。ＯＳは例えばＬｉｎｕｘ等の起動に時間を要するものであるとする。本実施形態では、増幅部１７は１つだけ搭載されるが、２つ以上搭載されてもよい。増幅部１７はスピーカー２０に接続される。なお、増幅部１７が複数搭載されるとき、各増幅部にスピーカー２０が接続される。
【００５４】
図７は実施形態４におけるＡＶレシーバ１００の制御部１１とネットワーク制御部１３とのシーケンスチャートを示す。図８は、実施形態４における制御部１１が実行するフローチャートを示す。本実施形態によると、制御部１１は、ＩＰサイマルラジオ放送局３１から取得される放送局一覧から、ユーザ操作によって放送局を選択する指示が入力されたとき、選択された放送局を記憶部１２に記憶する。ＡＶレシーバ１００の電源がオフに設定され、再度電源がオンに設定されたとき、制御部１１は、ネットワーク制御部１３のＯＳが起動し、ＩＰサイマルラジオ放送局３１から音声データを取得可能な状態になるまで、ラジオ電波受信部１４を使用して音声データを取得し、スピーカー２０から音声を出力する。なお、図７はＡＶレシーバ１００が初めてＩＰサイマルラジオ放送局３１に接続するときのシーケンスチャートを示し、図８は図７のシーケンスチャートが実行された後に実行されるフローチャートを示す。
【００５５】
制御部１１は、電源がオンに設定されたことを検出し（Ｓ４０１）、ネットワーク制御部１３に起動指示を送信する（Ｓ４０２）。ネットワーク制御部１３は、ネットワーク制御部１３に搭載されるＯＳを起動開始する（Ｓ４０３）。ネットワーク制御部１３は、ＯＳを起動完了したとき、起動完了通知を制御部１１に送信する（Ｓ４０４）。
【００５６】
制御部１１は、ユーザ操作によってＩＰサイマルラジオサービスの開始指示が入力されたとき、ネットワーク制御部１３にＩＰサイマルラジオサービスを起動する指示を送信し（Ｓ４０５）、ネットワーク制御部１３は、ＩＰサイマルラジオサービスを起動し、放送局一覧を取得する（Ｓ４０６）。
【００５７】
制御部１１は、ユーザ操作によって、ＩＰサイマルラジオサービスの放送局一覧から放送局を選択する指示が入力されたとき、ネットワーク制御部１３に、選択された放送局の音声データを取得するよう指示する（Ｓ４０７）。ネットワーク制御部１３は、指示された放送局を選択し（Ｓ４０８）、ＡＶレシーバ１００が設置されている地域名を制御部１１へ送信する（Ｓ４０９）。
【００５８】
制御部１１はＳ４０７の処理によって選択された放送局名を変数Ｓｔａｔｉｏｎに記憶し、ネットワーク制御部１３から受信した地域名を変数Ｒｅｇｉｏｎに記憶する（Ｓ４１０）。なお、変数Ｓｔａｔｉｏｎ及び変数Ｒｅｇｉｏｎの初期値は空である。
【００５９】
ネットワーク制御部１３は、ＩＰサイマルラジオ放送局３１から選択された放送局の音声データを取得して増幅部１７を介してスピーカー２０に出力する（Ｓ４１１）。ネットワーク制御部１３は、ユーザ操作によって放送局の切替指示が入力されたか否かを判断し（Ｓ４１２）、切替指示が入力されていないと判断したとき（Ｓ４１２でＮＯ）、切替指示が入力されるのを待ち、切替指示が入力されたと判断したとき（Ｓ４１２でＹＥＳ）、切替先の放送局名を制御部１１に送信する（Ｓ４１３）。なお、ユーザ操作によって放送局の切替指示が入力されたか否かの判断処理を、制御部１１が実行してもよい。
【００６０】
制御部１１は、Ｓ４１３の処理によって送信される放送局名を変数Ｓｔａｔｉｏｎに上書きする（Ｓ４１４）。制御部１１は、ユーザ操作等によって電源オフ指示が入力されたとき（Ｓ４１５）、ネットワーク制御部１３に電源オフ指示を送信する（Ｓ４１６）。ネットワーク制御部１３は、電源オフ指示を受信したとき、ＯＳのシャットダウンを実行する（Ｓ４１７）。制御部１１は、変数Ｓｔａｔｉｏｎと変数Ｒｅｇｉｏｎとを記憶部１２に記憶し（Ｓ４１８）、処理を終了する。
【００６１】
図８に移り、制御部１１は、ユーザ操作によって電源オン指示が入力される（Ｓ５０１）。制御部１１は、ネットワーク制御部１３に起動指示を送信する（Ｓ５０２）。制御部１１は、ＡＶレシーバ１００が前回稼働していたときに、ＩＰサイマルラジオ放送局３１から送信される音声データを再生していたか否かを判断する（Ｓ５０３）。制御部１１は、ＩＰサイマルラジオ放送局３１から送信される音声データを再生していなかったと判断した場合（Ｓ５０３でＮＯ）、処理を終了し、ＩＰサイマルラジオ放送局３１から送信される音声データを再生していたと判断した場合（Ｓ５０３でＹＥＳ）、変数Ｓｔａｔｉｏｎ及び変数Ｒｅｇｉｏｎに有効な値が設定されているか否かを判断する（Ｓ５０４）。制御部１１は、変数Ｓｔａｔｉｏｎ及び変数Ｒｅｇｉｏｎに有効な値が設定されていないと判断した場合（Ｓ５０４でＮＯ）、後述するＳ５０８以降の処理を実行し、有効な値が設定されていると判断した場合（Ｓ５０４でＹＥＳ）、ラジオ電波受信部１４のレジスタ等を設定し、ラジオ電波受信部１４を使用可能な状態に設定する（Ｓ５０５）。
【００６２】
制御部１１は、変数Ｓｔａｔｉｏｎと変数Ｒｅｇｉｏｎとを使用し、図３のラジオ局テーブルから前回受信していた放送局のバンドと周波数とを取得する（Ｓ５０６）。例えば、変数Ｓｔａｔｉｏｎがエフエム大阪であり、地域が大阪府であった場合、受信バンド「ＦＭ」、受信周波数「８５．１ＭＨｚ」とが取得される。なお、制御部１１は、地域データを使用せず、変数Ｓｔａｔｉｏｎのみからバンドと周波数とを取得してもよい。制御部１１は、取得されたバンドと周波数とをラジオ電波受信部１４に設定し、ラジオ電波受信部１４が受信する音声データを増幅部１７を介してスピーカー２０から出力する（Ｓ５０７）。
【００６３】
制御部１１は、ネットワーク制御部１３にＩＰサイマルラジオサービスを起動する指示を送信する（Ｓ５０８）。制御部１１は、ネットワーク制御部１３がＩＰサイマルラジオ放送局３１から放送データを取得可能な状態になったか否かを判断し（Ｓ５０９）、放送データを取得可能な状態になっていないと判断したとき（Ｓ５０９でＮＯ）、放送データを取得可能な状態になるのを待ち、放送データを取得可能な状態になったと判断したとき（Ｓ５０９でＹＥＳ）、通信部１５が取得する放送データをＤＡＣ１６、増幅部１７を介してスピーカー２０から出力する（Ｓ５１０）。なお、制御部１１は、ＩＰサイマルラジオ放送局３１から放送データをスピーカー２０に出力可能な状態になったと判断したとき、ラジオ電波受信部１４が受信する放送データがスピーカー２０に出力されないように設定する。
【００６４】
以上の本実施形態によると、ネットワーク制御部１３が起動し、ＩＰサイマルラジオ放送局３１から音声データを取得可能な状態になるまでラジオ電波受信部１４によって受信される音声データをスピーカー２０から出力するので、ユーザは早くラジオを鑑賞開始できる。なお、図８のフローチャートは、電源がオン状態に設定された場合だけでなく、ユーザ操作によってＩＰサイマルラジオ放送局３１から送信される音声データを受信する指示が入力されたときに実行されてもよい。
【００６５】
以上、本発明の好ましい実施形態について説明したが、本発明はこれらの実施形態には限定されない。ＡＶレシーバ１００は、ＤＶＤプレーヤやＢＤプレーヤ、またはＨＤＤプレーヤ等の再生装置から送信される音声データについて、本発明の処理を実行してもよい。また、ルームは３つ以上あってもよい。ラジオ電波受信部１４は２つ以上あってもよい。ラジオ放送局、ＩＰサイマルラジオ放送局は、音声データだけではなく、映像データを送信してもよい。ラジオ放送局は、ＢＳ放送局、ＣＳ放送局、地上波放送局等であってもよい。
【産業上の利用可能性】
【００６６】
本発明は、ＡＶレシーバ、ＡＶレシーバ、ネットワークチューナー等に好適に採用され得る。
【符号の説明】
【００６７】
１００          ＡＶレシーバ
１１            制御部
１２            記憶部
１３            ネットワーク制御部
１４            ラジオ電波受信部
１５            通信部
１６            ＤＡＣ
１７Ａ          増幅部
１７Ｂ          増幅部
１８            操作部
１９            映像出力部
２０Ａ          メインルームスピーカー
２０Ｂ          サブルームスピーカー
２１            ラジオ放送局
３１            ＩＰサイマルラジオ放送局
４１            ＴＶ
【図１】
2013192130.tif 000003
【図２】
2013192130.tif 000004
【図３】
2013192130.tif 000005
【図４】
2013192130.tif 000006
【図５】
2013192130.tif 000007
【図６】
2013192130.tif 000008
【図７】
2013192130.tif 000009
【図８】
2013192130.tif 000010